(57)【要約】【課題】ヘッドの重心位置とシャフト軸線を最適な位置に設定することによって、所望の飛距離が得られ、スイングしやすいマレットゴルフスティックを提供する。【解決手段】本発明に係るマレットゴルフスティック１は、シャフト５と、このシャフト５の先端が取り付くシャフト取付部１２を備え、少なくとも一方の端部に打撃面１０ａを形成した円筒形のヘッド１０とを有する。そして、シャフト取付部１２は、ヘッドの長手方向中心よりも一方の端部の打撃面１０ａ側に設けられ、ヘッド１０の重心Ｇがシャフト取付部１２と打撃面１０ａとの間に位置することを特徴とする。【選択図】    図２
2006333985.tif 000002
【特許請求の範囲】
【請求項１】
シャフトと、このシャフトの先端が取り付くシャフト取付部を備え、少なくとも一方の端部に打撃面を形成した円筒形のヘッドとを有するマレットゴルフスティックであって、
前記シャフト取付部は、ヘッドの長手方向中心よりも前記一方の端部の打撃面側に設けられ、前記ヘッドの重心が前記シャフト取付部と前記打撃面との間に位置することを特徴とするマレットゴルフスティック。
【請求項２】
前記ヘッドの前記シャフト取付部と前記打撃面との間に位置する底面部に重量調整体を設けたことを特徴とする請求項１に記載のマレットゴルフスティック。
【請求項３】
前記ヘッドの打撃面の対向面を小径に形成すると共に、前記対向面に前記重量調整体を設けたことを特徴とする請求項１又は２に記載のマレットゴルフスティック。
【請求項４】
前記重量調整体は、ヘッドに対して着脱自在に構成されていることを特徴とする請求項２又は３に記載のマレットゴルフスティック。
【発明の詳細な説明】
【技術分野】
【０００１】
本発明は、マレットゴルフスティックに関し、詳細には、ヘッド部分に特徴を有するマレットゴルフスティックに関する。
【背景技術】
【０００２】
従来、マレットゴルフと称されるスポーツがあり、特に、自然環境の豊かな地域では盛んに行なわれている。マレットゴルフは、いわゆるゲートボールにゴルフの要素を加味したスポーツであり、使用される用具（マレットゴルフスティック）は、一定のルールの範囲内で定められており、例えば、特許文献１や特許文献２に開示されているように、シャフトと、そのシャフトの先端に装着される円筒形のヘッドによって構成されている。
【０００３】
前者のマレットゴルフスティックは、ヘッドの底面部を、側面視で略円弧状に反らせると共に、シャフトから下方に延びる延長線が、ヘッド長手方向中心位置よりも打撃面のある前方位置を通る構造となっている。このような構造のマレットゴルフスティックによれば、底面部の円弧形状によって、スイング時の上下動や地面の凹凸に対して地面を擦ることが防止できる。また、後者のマレットゴルフスティックは、打撃面後方をテーパ状に縮径させた、いわゆる弾丸形状となっており、打球した後の抜けが向上するように構成されている。
【０００４】
上記したマレットゴルフスティックは、ゴルフボールよりも大径で重量の大きい専用のボールを用いているため、大径なボールを、容易に飛ばすために、ヘッドの重量を大きくするのが望ましいが、円筒形ヘッドのその径を大きくするには、限界があり、ヘッドを延長する他なく、左右方向の長さに伴うヘッドの重心位置を調整するという技術思想は提案されていない。
【特許文献１】特開平８−１６８５４３号
【特許文献２】特開２００２−２０４８４３号
【発明の開示】
【発明が解決しようとする課題】
【０００５】
上記したように、従来のマレットゴルフスティックは、ヘッドの重心位置を調整するという思想はないため、スイング時のシャフトの撓みによっては、ボールの飛距離が伸びないという問題が発生する。
【０００６】
すなわち、プレーに際しては、先ず、打球面をボールに位置合わせした後、シャフトが体の左右中心位置になるようスタンスを定め、ヘッドを地面から浮いた状態でバックスイングに入り、所定高さに至ってダウンスイングに移り、ボールを打つ。この際、シャフトが、円柱状ヘッドの長手方向中央位置に固着されると共に、重心位置がほぼシャフト軸線と一致していると、打球時にそれほど撓ることはない。しかしながら、特許文献１のように、シャフトから下方に延びる延長線が、ヘッド長手方向中心位置よりも打撃面のある前方位置を通る構造では、ボールの打球時には、シャフトが打球方向へ撓り、それに伴い、ヘッドの打球面が上方に向き、ヘッド後方部が地面に当接し、ボールを転がす距離に狂いを生じる。
【０００７】
また、特許文献１により、後方部を大きく反らせたり、特許文献２により、後方部を大きく縮径すると、後方部の重量が減じられ、大きなボールを打球する重量を補うため、長く形成する必要があり、重心が更に後方に位置し、ヘッドがぶれ易くなり、スイングが安定しにくくなるという問題点がある。
【０００８】
本発明は、上記した問題に着目してなされたものであり、ヘッドの重心位置とシャフト軸線を最適な位置に設定することによって、所望の飛距離が得られ、スイングしやすいマレットゴルフスティックを提供することを目的とする。
【課題を解決するための手段】
【０００９】
上記した課題を解決するために、本発明に係るマレットゴルフスティックは、シャフトと、このシャフトの先端が取り付くシャフト取付部を備え、少なくとも一方の端部に打撃面を形成した円筒形のヘッドとを有するマレットゴルフスティックであって、前記シャフト取付部は、ヘッドの長手方向中心よりも前記一方の端部の打撃面側に設けられ、前記ヘッドの重心が前記シャフト取付部と前記打撃面との間に位置することを特徴とする。
【００１０】
このようなマレットゴルフスティックによれば、ヘッドの重心をシャフト取付部より打撃面側に位置することで、シャフトの撓りによるヘッド後方の地面への当接が防止でき、ボールを正確な飛距離に打球することができる。また、スイングした際の振り抜き性が向上する。
【発明の効果】
【００１１】
本発明によれば、所望の飛距離が得られ、スイングしやすい構成のマレットゴルフスティックが得られる。
【発明を実施するための最良の形態】
【００１２】
図１及び図２は、本発明に係るマレットゴルフスティックの一実施形態を示す図であり、図１は、全体構成を示す側面図、そして、図２は、ヘッド部分の断面図である。
【００１３】
マレットゴルフスティック１は、シャフト５、及びこのシャフト５の先端に取り付けられる円筒形のヘッド１０とを備えて構成されており、シャフト５は、金属、又はカーボン繊維強化樹脂等によって形成され、ヘッド１０は、アルミ等の金属部材によって形成されている。前記シャフト５の基端側には、所定の長さのグリップ７が取着されると共に、シャフト５の先端側は、ヘッド１０に装着されるシャフト取付部材１２の固定孔１２ａに差し込まれて接着等されることで、ヘッド１０に取り付け、固定される。
【００１４】
前記ヘッド１０は、円筒形に形成されると共に、その内部には、中空部１３が形成されている。この中空部を規定するヘッド１０の上面側には、シャフト取付部材１２が差し込まれる保持孔１５が形成されており、かつ中空部を規定する下面側には、シャフト取付部材１２の先端を差し込んで固定する凹部（穴）１６が形成されている。前記保持孔１５の上部には、段部１５ａが形成されており、ここにシャフト取付部材１２の外周に形成された突部１２ｂが当て付いて位置決め、固定される。また、シャフト取付部材１２の固定孔１２ａの下方側には、段部１２ｃが形成されており、差し込まれるシャフト５の先端を当て付けて位置決め固定するようになっている。
【００１５】
上記したように、シャフト取付部材１２をヘッド１０の上面側に貫通させて固定すると共に、その先端部を下面側に形成された凹部１６に挿入固定することで、それに装着されるシャフト５のヘッドに対する取り付け強度の向上が図れる。また、シャフト取付部材１２の段部１２ｃは、ヘッド１０の凹部１６に達しない程度の位置に形成されており、これにより、凹部１６に対する挿入端を肉厚にすることができ、取り付け強度をより向上することが可能となる。
【００１６】
なお、シャフト取付部材１２とヘッド５の止着は、接着剤によって行なったり、或いはシャフト取付部材１２の外周に雄ネジ部１２ｄを形成し、これをヘッドの保持孔１５に形成された雌ネジ１５ｂに螺合させる構成であっても良い。或いは、螺合と接着の両手段によって固定することで、より取り付け強度を向上することが可能となる。また、シャフト取付部材１２のヘッド１０に対する取り付け位置は、長手方向中心よりも後述する大径の打撃面側にすることが好ましい。
【００１７】
前記円筒形に形成されたヘッド１０の一方の端部に形成される打撃面１０ａは、ヘッド１０の材料自身によって一体形成したものであっても良いが、図に示すように、ボールに対する反発性等を考慮して、より好ましい素材によって形成された蓋状の打撃部材２０の端面１０ａによって構成しても良い。この場合、打撃部材２０は、チタン、チタン合金、ステンレス鋼、ジュラルミン等のアルミ合金等によって形成されており、ヘッド１０の端部に形成された開口との間で、螺合及び／又は接着によって固定されている。また、内部に内空部２０ａが形成されている。なお、打撃部材２０とヘッド１０は、両者の表面が面一状になるように形成されている。
【００１８】
また、前記打撃面１０ａは、ボールを打撃し、転がす方向の目標ラインに対して直交する平面を有するが、例えば、凹凸面や上方に向かった傾斜面によって形成しても良い。
【００１９】
上述したようにヘッド１０は円筒形に形成される。このように円筒形に形成されることによって、クラブを握ってアドレスした際に視認される稜線が、打撃面１０ａに対して略直交（又は、目標ラインに対して略平行）するように形成されており、ターゲット方向に沿わせ易いようになっている。この場合、視認される稜線が、打撃面１０ａに対して正確に直交（又は、目標ラインに対して正確に平行）する方向となるように形成することが好ましいが、アドレスした際に、違和感無くターゲット方向に位置合わせできる程度（好ましくは±５°以内）は傾斜していても良い。
【００２０】
また、本実施形態では、打撃面１０ａの反対側の端面に、実際にボールを打球する打撃面１０ｂを形成している。この打撃面１０ｂは、上記した打撃面１０ａと同様、ヘッド１０とは別の打撃部材３０の端面によって形成されており、ヘッド１０の端部に形成された開口との間で、螺合及び／又は接着によって固定されている。また、内部に内空部３０ａが形成されている。なお、打撃部材３０とヘッド１０は、両者の表面が面一状になるように形成されている。
【００２１】
次に、上記ヘッド１０の寸法関係について説明する。
前記打撃面１０ａの直径Ｄは５０ｍｍ、ヘッド１０の軸方向長さＬは１２０ｍｍ〜２４０ｍｍの範囲（本実施形態では１２５ｍｍ）で形成される。シャフト５のヘッドに対する装着位置は、シャフトの軸線Ｐから打撃面１０ａまでの長さＬ１が５５ｍｍ、後端面までの長さＬ２が７０ｍｍで形成される。
【００２２】
また、打撃部材２０の打撃面１０ａから内空部２０ａまでの肉厚Ｔ１が１０ｍｍ、打撃部材３０の打撃面１０ｂから内空部３０ａまでの肉厚Ｔ２が６ｍｍで形成される。
【００２３】
打撃部材２０及び打撃部材３０は、肉厚Ｔ１を肉厚Ｔ２より厚く形成され、ヘッド１０の重心Ｇの位置は、打撃面１０ａ側に偏って形成されると共に、シャフト軸線Ｐと打撃面１０ａの間に位置するように設定されている。
【００２４】
また、打撃部材２０及び打撃部材３０は、肉厚Ｔ１及びＴ２を同じ厚さにして、チタン、チタン合金、ステンレス鋼、ジュラルミン等のアルミ合金等、比重の異なる材料を適宜選択し、比重の大きい材料で打撃部材２０を形成することにより、重心Ｇの位置をシャフト軸線Ｐと打撃面１０ａの間に位置するように設定しても良い。
【００２５】
但し、打撃部材２０及び打撃部材３０の材料及び外形寸法は略同じになるように、調整するのが好ましい。
【００２６】
前記シャフト５は、上部から下部にかけてその径を暫減しており、必要な強度を確保するために任意の部位での補強仕様に合わせて種々の形状に裁断されたシート状のプリプレグを芯金に巻着し、常法に従い加熱硬化して形成した繊維強化樹脂製が好ましい。
【００２７】
繊維強化樹脂で形成すると撓り易くでき、湾曲時の弾発を効率よく発揮でき、容易に打球することができる。また、強化繊維の配置をシャフトの周方向よりも長手軸方向に多く積層したり等により、シャフトの撓りの調子を容易に設定することができる。
【００２８】
上記した構成のマレットゴルフスティックによれば、以下の作用効果が得られる。
シャフトのヘッドに対する取り付け位置を、打撃面１０ａ側にシフトさせたことで、アドレスした際、ボールを体の中心近傍で打球し易くなり、方向性が安定すると共に、ヘッドのブレが生じ難くなって、打球方向に向けてボールを打球し易くなる。
【００２９】
また、重心位置Ｇを、打撃面１０ａ側であって、シャフト軸線との間にシフトさせたことによって、シャフトの撓りによる打球時のボールの距離を向上することができる。具体的には、図３（ａ）に示すように、シャフト５のシャフト軸線Ｐが体の左右中心位置にある時に、打球できるように、ボールＢに対してスタンスを定めれば、打球面１０ａが地面Ｊに対して垂直となるので、打球方向に向けて打球し易くなる。ここから、ヘッドを地面Ｊから浮いた状態でバックスイングに入り、所定高さに至ってダウンスイングに移り、ボールＢを打つ。但し、図３（ｂ）に示すように、ボールBの打球時には、シャフト５が打球方向に撓るのであるが、重心Ｇの位置がシャフト軸線Ｐと打撃面１０ａの間に位置するため、シャフト軸線Ｐと重心Ｇが交差するように撓るので、打球時、ヘッド１０が地面Ｊ垂直方向に対してθ傾斜した状態で打球することになり、ヘッド１０の後方が地面Ｊより離れ、当接し難くなるため、ボールＢを所望の距離正確に飛ばすことができるのである。
【００３０】
また、打撃面１０ａがボールＢの上方から傾斜した状態で打球するので、ボールＢに逆方向回転を生じさせ難くなり、更に飛距離を伸ばすことができる。
【００３１】
また、同一径の円柱状ヘッドとしても、ヘッド後方が地面に当接し難くなり、振り抜きやすいので、ヘッド重量を大きくでき、容易にボールを打球することができると共に安定したストロークが可能となる。
【００３２】
図４は、本発明の第２の実施形態を示す図であり、ヘッドの部分断面図である。
この実施形態では、ヘッド１０のシャフト取付位置より打撃面１０ｃ側のシャフト取付部の対向面側における底面部中央位置に、シャフトの軸線に沿って延出する孔部１０ｅ、及びその開口側に凹所１０ｆを形成し、ここに、重量調整体５０をヘッド１０の外表面から突出することなく、内側に位置するように装着している。
【００３３】
このように、重量調整体５０をヘッドのシャフト軸線Ｐと打撃面１０ｃとの間に装着して重心Ｇの位置を調整することで、正確なボールの飛距離と安定したスイングが可能となる。また、このような構成においても、重量調整体３０は外部に突出することは無いので、他物に当たって損傷等することはない。また、打撃部材４０の肉厚Ｔ３と打撃部材３０の肉厚Ｔ２を同じにでき、容易に製造できる。
【００３４】
前記重量調整体５０とヘッド１０との装着方法は、重量調整体５０の外周面に雄ネジ部５０ｂを形成して、ヘッド１０の孔部１０ｅに形成された雌ネジ部１０ｋとの間で、着脱可能となるように螺合させても良い（頭部５０ａに締め付け、取り外し用の長溝５０ｃが形成されている）。或いは、圧入、凹凸嵌合によって装着させたり、接着等によって固着させるような構成であっても良い。
【００３５】
前記重量調整体５０は、ヘッド１０の重量を調整すべく、ヘッド１０よりも比重の大きい材料で形成されており、具体的には、ヘッド１０がアルミ（比重；２．７ｇ／ｃｍ3）によって構成され、かつ上記した打撃部材４０がチタン（比重；４．５１ｇ／ｃｍ3）によって構成される場合、それらの全体比重よりも大きい材料、例えば、銅（比重；８．９３ｇ／ｃｍ3）、タングステン（比重；１９．３ｇ／ｃｍ3）などで構成される。この場合、複数の異なる重量調整体を形成しておき、交換可能にしても良い。
【００３６】
図５は、本発明の第３の実施形態を示す図であり、ヘッドの部分断面図である。
この実施形態では、ヘッド１１は、打撃面１１ａの後方側、具体的には、シャフトの取り付け位置よりも後方側が次第に縮径するように形成されており、これによりスイングの安定化が図れるように構成されている。すなわち、このように縮径化することで、地面の凹凸やボールの側部にある障害物に当接することが防止でき、振り抜き性の向上が図れるようになる。
【００３７】
そして、ヘッド１１の打撃面１１ａと対向する端面には、中心位置に長手方向に沿って外方に開口した孔部１１ｅが形成されており、この孔部１１ｅに重量調整体６０が装着されている。重量調整体６０は、所定長さを有する円柱形状に形成されており、その外表面（頭部６０ａの外表面）は、ヘッド１１の外表面より内側に位置するように構成されている。すなわち、ヘッド１１には、孔部１１ｅの開口側に位置する凹所１１ｆが形成されており、ここに重量調整体６０の頭部６０ａを位置させて、重量調整体６０がヘッド１１に装着された際、ヘッド１１の外表面から突出することはなく、内側に位置するように構成されている。
【００３８】
前記重量調整体６０とヘッド１１との装着方法は、重量調整体６０の外周面に雄ネジ部６０ｂを形成して、ヘッド１１の孔部１１ｅに形成された雌ネジ部１１ｋとの間で、着脱可能となるように螺合させても良い（頭部６０ａに締め付け、取り外し用の長溝６０ｃが形成されている）。或いは、圧入、凹凸嵌合によって装着させたり、接着等によって固着させるような構成であっても良い。
【００３９】
前記重量調整体６０は、ヘッド１１の重量を調整すべく、ヘッド１１よりも比重の大きい材料で形成されており、具体的には、ヘッド１１がアルミ（比重；２．７ｇ／ｃｍ3）によって構成され、かつ上記した打撃部材７０がチタン（比重；４．５１ｇ／ｃｍ3）によって構成される場合、それらの全体比重よりも大きい材料、例えば、銅（比重；８．９３ｇ／ｃｍ3）、タングステン（比重；１９．３ｇ／ｃｍ3）などで構成される。この場合、複数の異なる重量調整体を形成しておき、交換可能にしても良い。
【００４０】
上記ヘッド１１の後方の小径化される領域は、それが円弧として形成されるのであれば、Ｒ２００〜Ｒ８００の範囲（本実施形態ではＲ３００）で形成される。このような範囲に設定するのは、Ｒが２００より小さくなると、ヘッド長さが短くなってスイングが安定せず、Ｒが８００よりも大きくなると、振り抜き性が悪くなってしまうことによる。なお、円弧状でなく、テーパ状に形成する場合、その角度は、上記した同様の理由から、５°〜２０°の範囲に設定される。
【００４１】
上記した構成のマレットゴルフスティックによれば、以下の作用効果が得られる。
円筒形のヘッド１１の後方側を小径化したことで、コース上の起伏のみならず、ボール側方に障害物があっても、スイング時に邪魔にならず、振り抜き性が向上し、安定したスイングが行なえるようになる。この場合、上記した細径化したことによるヘッド後方側の重量の軽減分を、重量調整体６０によってバランスさせることができ、前後方向のバランスを向上させて安定したスイングを行なうことが可能になる。そして、重量調整体６０は、ヘッド１１の外表面よりも内側に位置することから、重量調整体６０が他物に当接して破損等することはなく、これにより、重量調整体６０部分に破損を防止するための特別な手段を講じる必要もなく、構成が簡略化される。また、上記した重量調整体６０を、ヘッド１１に対して着脱可能に構成することで、コースコンディションや、その日のプレーヤの体調等に応じて、最適な重量物に調整することも可能となる。
【００４２】
以上、本発明の実施形態について説明したが、本発明は、ヘッドの重心位置が、シャフト軸線と打撃面との間に位置していれば良く、打撃部材の肉厚、材料、重量調整体装着方法、位置等については、適宜変形することが可能である。また、ヘッドの形状についても、適宜変形することが可能である。
【産業上の利用可能性】
【００４３】
本発明は、マレットゴルフに使用する以外にも、ゲートボールのようなボールを打球方向に向けて転がす球技に使用することが可能である。
【図面の簡単な説明】
【００４４】
【図１】本発明に係るマレットゴルフスティックの一実施形態を示す図であり、全体構成を示す側面図。
【図２】ヘッド部分の断面図。
【図３】（ａ）は、図１に示すマレットゴルフスティックを構えた状態を示す図、（ｂ）は図１に示すマレットゴルフスティックで打球する状態を示す図。
【図４】本発明に係るマレットゴルフスティックの第２の実施形態を示す図であり、ヘッド部分の断面図。
【図５】本発明に係るマレットゴルフスティックの第３の実施形態を示す図であり、ヘッド部分の断面図。
【符号の説明】
【００４５】
１  マレットゴルフスティック
５  シャフト
１０、１１  ヘッド
２０、３０、４０、７０  打撃部材
５０、６０  重量調整体
【図１】
2006333985.tif 000003
【図２】
2006333985.tif 000004
【図３】
2006333985.tif 000005
【図４】
2006333985.tif 000006
【図５】
2006333985.tif 000007